(57)【要約】【課題】  マルチシステムの空気調和装置に適した室外機を実現する。【解決手段】  空気調和装置は、圧縮機１４、室外熱交換器１６及び室外送風機を備えた室外機１０ａと、室内熱交換器２４及び室内熱交換器２４に送風する室内送風機２６とを備えた複数の室内機１２ａ〜１２ｃとを有し、室外機１０ａから複数の室内機１２ａ〜１２ｃに冷媒を循環させる冷凍サイクルを形成するとき、室外送風機を２枚羽根３０、３１の軸流ファン１６で形成する。【選択図】  図３  
2005121310.tif 000002
【特許請求の範囲】
【請求項１】
冷媒を圧縮する圧縮機、冷媒が通流する室外熱交換器及び該室外熱交換器に送風する室外送風機を備えた室外機と、冷媒が通流する室内熱交換器及び該室内熱交換器に送風する室内送風機とを備えた複数の室内機とを有し、前記室外機から前記複数の室内機に前記冷媒を循環させる冷凍サイクルを形成してなる空気調和装置において、前記室外送風機を２枚羽根の軸流ファンで形成したことを特徴とする空気調和装置。
【請求項２】
前記室外機は複数配設され、前記各室外機に前記室内機が複数接続されることを特徴とする請求項１に記載の空気調和装置。
【請求項３】
前記室外送風機は、前記室外機の筐体上壁に開口された空気排出口に設けられた円筒状の風洞と、該風洞内に設けられた軸流ファンとを備え、前記軸流ファンは、空気吸込み側の先端部が前記風洞から突き出して設けられ、該突き出し量は、前記羽根の軸方向の高さの少なくとも５０％以下であることを特徴とする請求項１に記載の空気調和装置。
【請求項４】
前記羽根の実効面積は、前記羽根の投影実面積の７０％以上とし、前記羽根を支持する円環状のハブの軸方向の高さは、前記羽根の軸方向の高さの４０％以上であることを特徴とする請求項１に記載の空気調和装置。
【請求項５】
前記羽根の厚みは、外径縁に向かうにつれて薄く形成されることを特徴とする請求項１に記載の空気調和装置。
【発明の詳細な説明】
【技術分野】
【０００１】
空気調和装置に関し、特に室外機の送風機に関する。
【背景技術】
【０００２】
空気調和装置は、冷媒を圧縮機により圧縮し、圧縮された冷媒を送風機から送風された空気により凝縮又は蒸発させる室外機と、室外機により凝縮又は蒸発された冷媒により室内を冷暖する室内機とを有して構成される。
【０００３】
この空気調和装置は、一般に、ビル空調など負荷が比較的大きくなる場合には、マルチシステムの形態に構成される。例えば、複数の室外機を配設し、各室外機に複数の室内機を接続して冷凍サイクルを形成することが行われる（例えば、特許文献１参照）。
【０００４】
【特許文献１】特開２０００−２８１８１
【発明の開示】
【発明が解決しようとする課題】
【０００５】
しかしながら、特許文献１のようなマルチシステムの空気調和装置では、室内機は各部屋に分散して配設されるが、室外機は例えばビル屋上に並べて配設される。したがって、各室外機から騒音が発生すると、発生したノイズが互いに重なり合って比較的大きな騒音となることがある。
【０００６】
例えば、各室外機に送風機として３枚羽根又は４枚羽根の軸流ファンが設けられるが、軸流ファンの各羽根の翼端から空気が漏れることで騒音が発生する。そして、各室外機から発生した騒音が互いに重なり合うと、強度が比較的大きくなる。また、発生した騒音が重なり合わないときでも騒音の合計量が比較的大きくなる。このようにマルチシステムの形態に構成した場合では発生する騒音は比較的大きくなものになり、利用者にとって煩わしいものになる。
【０００７】
本発明の課題は、マルチシステムの空気調和装置に適した室外機を実現することにある。
【課題を解決するための手段】
【０００８】
上記課題を解決するため、本発明の空気調和装置は、室外機に設けられる室外送風機を２枚羽根の軸流ファンで構成する。これにより、３枚又は４枚羽根の軸流ファンに比べて翼端の数が少なくなるから、ファン騒音の発生領域が減ることになり、室外機から発生する騒音が低減される。
【０００９】
特に、室外機を複数配設して各室外機に室内機を複数接続したマルチシステムの場合、２枚羽根軸流ファンを採用することにより、各室外機から発生する騒音の強度（最大振幅）を小さくできるから、各発生音が互いに干渉して重なり合ったとしても、干渉波の強度は従来に比べて小さくなる。また、各発生音が互いに干渉しないときでも各室外機から発生するファン騒音の合計量は小さくなる。したがって、マルチシステムの場合に発生する騒音を小さくすることができる。
【００１０】
また、室外機の筐体上壁に開口された空気排出口に円筒状の風洞を配設し、その風洞内に軸流ファンを設ける場合、軸流ファンの風量を確保するために、軸流ファンの羽根の空気吸込み側の先端部は、風洞から突き出される。その場合、羽根の空気吸込み側の先端部には、軸方向だけでなく径方向からも空気が流れ込むことになる。したがって、軸方向と径方向から流れ込む空気が、互いに衝突したり、重なり合ったりすることで乱流が生じる。その乱流の影響を受けることでファン効率が悪くなることがある。そこで、羽根の空気吸込み側の先端部の突き出し量を羽根の軸方向の高さの少なくとも５０％以下、好ましくは３７％以下にするのが望ましい。すなわち、突き出し部分を少なくすれば、一定の風量を確保しつつ径方向から流入する空気量を減らすことができるから、ファン効率を向上させることができる。
【００１１】
また、室外送風機を３枚又は４枚羽根の軸流ファンから２枚羽根のものにしたときでも、羽根１枚あたりの仕事量を確保するために、羽根の実効面積を羽根の投影実面積の７０％以上、好ましくは８０％以上にすると共に、羽根を支持する円環状のハブの軸方向の高さを羽根の軸方向の高さの４０％以上、好ましくは４８％以上にするのが望ましい。
【発明の効果】
【００１２】
本発明によれば、マルチシステムの空気調和装置に適した室外機を実現することができる。
【発明を実施するための最良の形態】
【００１３】
（実施形態１）  本発明を適用した空気調和装置の第１の実施形態について図１及び図６を参照して説明する。本実施形態は、ビル空調設備の室外機に２枚羽根の軸流ファンを設けるようにした一例である。図１は本発明を適用してなる空気調和装置の系統図、図２は室外機の構成図、図３は軸流ファンの斜視図、図４は軸流ファンの縦断面図、図５は空気排出側から見た軸流ファンの正面図、図６は本実施形態の軸流ファンと４枚羽根の軸流ファンの騒音レベルを比較する比較図である。
【００１４】
図１（ａ）に示すように、空気調和装置１は、マルチシステムの形態で構成されている。例えば、空気調和装置１は、ビルの屋上に並べて配設された複数の室外機１０ａ〜１０ｅ、各部屋に分散して配設された複数の室内機１２ａ〜１２ｑなどから構成されている。そして、室外機１０ａには室内機１２ａ〜１２ｃが接続されている。室外機１０ｂ〜１０ｅについても同様である。
【００１５】
このような空気調和装置１について室外機１０ａと室内機１２ａを一例として説明する。図１（ｂ）に示すように、室外機１０ａは、圧縮機１４、室外用の熱交換器１６、室外送風機として軸流ファン１８などを備えて構成されている。圧縮機１４は、ガス冷媒を高圧に圧縮するものである。熱交換器１６は、冷房運転時には凝縮器として作用してガス冷媒の熱を大気に放熱させて冷媒を凝縮し、暖房運転時には蒸発器として作用して液冷媒の蒸発熱を大気に放熱する。軸流ファン１８は、周囲空気を吸い込んで熱交換器１８に送風させた後にその空気を排出するものである。なお、主に暖房運転時に作用する膨張弁２０、冷房運転と暖房運転を切り換える四方切換弁２２も設けられている。
【００１６】
室内機１２ａは、熱交換器２４、室内用の送風機２６などから構成されている。熱交換器２４は、冷房運転時には蒸発器として作用して液冷媒の蒸発熱を大気に放熱し、暖房運転時に凝縮器として作用して圧縮されたガス冷媒の熱を大気に放熱させて冷媒を凝縮する。送風機２６は、熱交換器２４に室内の空気を送風するものである。なお、主に冷房運転時に作用する膨張弁２８が配設されている。
【００１７】
このように構成される空気調和装置１において、各室外機に３枚又は４枚羽根の軸流ファンが設けられる場合、翼端の数が比較的多くなるから、各翼端から空気が漏れることで騒音が比較的大きなものになる。この点、本実施形態では、室外機に２枚羽根の軸流ファン１８を設けることにより、騒音を抑えるようにしている。
【００１８】
まず、室外機１０ａの構成について図２を参照して説明する。図２に示すように、室外機１０ａは、上吹き型に構成されている。例えば、室外機１０ａは、筐体２１に、圧縮機１４、熱交換器１６、膨張弁２０、電源２３、モータ２５、軸流ファン１８などを収納して構成されている。
【００１９】
筐体２１は、側壁に空気吸込み口が開口して形成されると共に、上壁に空気排出口が開口して形成されている。空気吸込み口には熱交換器１６が配設されている。また、空気排出口には風洞としてベルマウス２９が設けられている。ベルマウス２９は、空気の流れを整流するものであり、円筒状に形成されている。ベルマウス２９の空気吸込み側（以下、吸込み側）の開口は、裾広がりに形成されており、その開口が筐体２１の空気排出口に接合されている。また、ベルマウス２９の空気吹出し側（以下、吹出し側）の開口には、吹き出しグリル４１が取り付けられている。
【００２０】
筐体２１内にクランプ２７が設けられている。クランプ２７は、筐体２１の内壁と熱交換器１６により水平方向に固定されている。クランプ２７の吹出し側にモータ２５が支持されている。モータ２５は、鉛直方向に延在する駆動軸３９を軸回転させるものである。モータ２５に駆動軸３９を介して軸流ファン１８が軸方向を鉛直方向上向きにして取り付けられている。軸流ファン１８は、ベルマウス２９内に位置され、ベルマウス２９の内周面との間に所定の隙間（ギャップ）を有している。なお、筐体２１内に、圧縮機１４、膨張弁２０、電源２３も配設されている。
【００２１】
このように構成される室外機１０ａでは、電源２３から電力がモータ２５に供給されると、モータ２５が駆動軸３９を回転することで、軸流ファン１８が軸回転する。回転した軸流ファン１８により空気が空気吸込み口から吸い込まれる。吸い込まれた空気は、軸流ファン１８とベルマウス２９との間で昇圧され、昇圧した空気は、吹出しグリル４１から吹出される。これにより、熱交換器１６内の冷媒は、吸い込まれた周囲空気と熱交換する。
【００２２】
次に、軸流ファン１８について図３乃至図５を参照して詳細に説明する。図３に示すように、軸流ファン１８は、羽根として２枚のファンブレード３０,３１、円環状のハブ３２などから構成されている。ファンブレード３０、３１は、軸方向に対し所定角度だけ傾けられ、ハブ３２の外周面３４に軸対称に支持されている。
【００２３】
ファンブレード３０は、樹脂により成形されたものであり、その輪郭は内径縁６０、前縁６２、後縁６４、外径縁６６により形成されている。内径縁６０は、点線６０ａに示されるように、ハブ３２の外周に支持されている部分を含み、回転方向３５の後側に延びている部分である。前縁６２は、点線６２ａに示されるように、内径縁６０の回転方向３５の前側の端部から外周側に向かって延びている部分である。後縁６４は、点線６４ａに示されるように、内径縁６０の回転方向３５の後側の端部から外周側に向かって延びている部分である。外径縁６６は、点線６６ａに示されるように、前縁６２の回転方向３５の前側の端部と後縁６４の径方向側の端部とを連結している部分である。なお、ファンブレード３１も同様に形成されている。
【００２４】
また、図４及び図５に示すように、ハブ３２には、仕切り板３６、モータシャフト穴３８などが設けられている。仕切り板３６は、ハブ３２の内部を吹出し側と吸込み側の部分に分けるように、ハブ３２の内壁に半径方向に支持されている。仕切り板４６の中心にモータシャフト穴３８が設けられている。モータシャフト穴３８は、仕切り板４６の吹き出し側の面から延在して形成されており、駆動軸３９が取り付けられる。なお、仕切り板４６の取り付け位置については、駆動軸３９の長さに合わせて適宜決められる。
【００２５】
また、ハブ３２には、複数の吹出し側のリブ４０、複数の吸込み側のリブ４２が設けられている。複数のリブ４０は、ハブ３２の内周面に沿って所定間隔で配設されている。各リブ４０は、仕切り板４６の吹き出し側の面に支持されると共に、ハブ３２の内壁から半径方向につば状に張り出して形成されている。同様に、複数のリブ４２は、仕切り板４６の吸い込み側に形成されている。また、仕切り板３６には複数の水抜き穴４８が形成されている。複数の水抜き穴４８は、各リブ４０の回転方向３５の側面の近傍に１つずつ分散して配設されている。
【００２６】
このように構成される軸流ファン１８の効果を確認するために行った実験例を図６に示す。図６（ａ）は、軸流ファンから発生する騒音の周波数と騒音レベルの関係を測定した結果である。なお、横軸は騒音の周波数（ｋＨｚ）、縦軸は騒音レベル（ｄＢ）である。図６（ｂ）は、同じ動作点における騒音レベルを示している。図６（ａ）によれば、本実施形態の２枚羽根の軸流ファン１８から発生する騒音レベルは、４枚の羽根の軸流ファンに比べて、いずれの周波数においても小さくなることがわかる。また、図６（ｂ）によれば、本実施形態の２枚羽根の軸流ファンから発生する騒音レベルは、４枚の羽根の軸流ファンに比べて例えば８ｄＢ小さくなっていることがわかる。
【００２７】
すなわち、本実施形態によれば、３枚又は４枚羽根の軸流ファンに比べて翼端の数が少なくなるから、吸込み空気が漏れる領域や、ベルマウス２９の内周壁との間で流体干渉が生じる領域が少なくなる。したがって、室外機１０ａから発生する騒音レベルを小さくすることができる。特に、各室外機１０ａ〜１０ｅから発生する騒音が干渉して重なり合ったとしても、干渉波の強度（最大振幅）は従来に比べて小さくなる。また、各発生音が互いに干渉しないときでも各室外機から発生するファン騒音の合計量は小さくなる。したがって、マルチシステムの場合に発生する騒音を小さくすることができる。
【００２８】
また、本実施形態では、室外機１０ａが上吹き型に構成されているから、ファンブレード３０、３１を鉛直方向に伸ばすことで比較的大きい羽根面積を確保することができる。すなわち、羽根面積を増やす場合でも、室外機１０ａの横方向の設置スペース（床面積）が増大することはない。特に、マルチシステムの形態に構成した場合、複数の室外機１０ａ〜１０ｅの設置スペースを節約できるため利用者の敷地面積が制限されているときでも並べて配設することが容易になる。
【００２９】
また、仕切り板３２の吹出し側に雨が溜まったり、雪が積もったりすることがあるが、本実施形態によれば、雨水や積雪などを水抜き穴４８から排出することができる。したがって、雨水や積雪によりハブ３２の回転にアンバランスが生じることがないから、軸流ファン１８を安定に回転させることができる。
【００３０】
例えば、ハブ３２に溜まった雨水などは、ハブ３２の回転による遠心力によりハブ３２の外周側に向かって移動する。移動した雨水などは、回転方向３５に対して反対方向に働く反作用力により、リブ４０の回転方向３５側の面の近傍に集まる。この点、本実施形態では、リブ４０の回転方向側の側面の近傍に水抜き穴４８が形成されているため、雨水などを容易かつ確実に抜き出すことができる。
【００３１】
（実施形態２）  本発明を適用した軸流ファンの第２の実施形態について図７を参照して説明する。本実施形態は、ロングダクトタイプのベルマウスを用いることにより軸流ファンのファン効率を向上させた一例である。図７は、ベルマウス内に設けられた軸流ファンを示している。
【００３２】
ベルマウス２９内に軸流ファン１６を設ける場合、ファン風量を確保するために、軸流ファン１６の吸込み側の先端５１がベルマウス２９の吸込み側の開口５７から突き出される。その場合、突き出された部分には軸方向だけでなく径方向からも空気が流れ込むことになる。したがって、軸方向と径方向から流れ込む空気が、互いに衝突したり、重なり合ったりすることで乱流が生じるから、ファン効率が悪くなることがある。そこで、本実施形態では、図７に示すように、ファンブレード３０、３１の先端５１の突き出し量をファンブレードの軸方向の高さ５２の少なくとも５０％以下、好ましくは３７％以下になるように、ロングダクトタイプのベルマウス２９を用いるようにしている。
【００３３】
本実施形態によれば、ファンブレード３０、３１の先端５１の突き出し量が従来に比べて小さくなるから、一定の風量を確保しつつ径方向から流入する空気量を減らすことができる。したがって、乱流などが生じないためファン効率を向上させることができる。
【００３４】
（実施形態３）  本発明を適用してなる軸流ファンの第３の実施形態について説明する。本実施形態は、３枚又は４枚羽根の軸流ファンから２枚羽根のものにしたときでも、ファン効率を向上させるようにした一例である。
【００３５】
例えば３枚羽根の軸流ファンの羽根を２枚羽根のものにするとき、羽根の枚数を２枚に単純に減らすことが考えられるが、１枚あたりの仕事量が減ることから、羽根間の圧力変動が増大してファン効率は悪くなる。そこで、本実施形態では、ファンブレード３０、３１の実効面積をファン径の投影面積の７０％以上、好ましくは８０％以上にしている。これにより、３枚又は４枚羽根の軸流ファンから２枚羽根のものにしたとき、ファンブレード面の流れ方向の圧力勾配を小さくすると共に、摩擦損失を低減でき、さらに羽根１枚あたりの仕事量を確保することができる。
【００３６】
さらに、ハブ３２の高さ５０を小さくすると、ハブ３２の吹出し側開口から吸込み側に向かう、いわゆる逆流の空気が増加する結果、ファン効率が低下することがある。そこで、本実施形態では、ハブ３２の高さ５０をファンブレード３０の軸方向の高さ５２の４０％以上、好ましくは４８％以上にしている。
【００３７】
ここで、ハブの高さが異なった３つの軸流ファンの流体性能を表す効率と圧力の比較結果を図８に示す。横軸は流量係数を示し、縦軸は全圧効率と静圧係数を示している。なお、ハブ軸比とは、ハブ３２の高さ５０をファンブレード３０の軸方向の高さ５２で割った割合である。図８に示すように、ハブ軸比を０．４８に設定したときは、ハブ軸比を０．３２に設定した場合に比べ、全圧効率が高くなっている。また、ハブ軸比を０．６４に設定したときは、ハブ軸比を０．４８に設定した場合に比べ、全圧効率が高くなっている。すなわち、本比較結果によれば、流体性能の低下を最小限に抑えるためにはハブ軸比を例えば４０％以上、好ましくは０．４８以上に設定するのが望ましいことがわかる。なお、ハブ軸比が０．６４のときを１００％とすると、ハブ軸比が０．４８のときは７５％となり、ハブ軸比が０．３２のときは５０％となる。
【００３８】
また、本実施形態の軸流ファンの効率について４枚羽根の軸流ファンと比較した結果を図９に示す。図９によれば、４枚羽根の場合に比べ、効率が例えば５％向上したことがわかる。
【００３９】
本実施形態によれば、３枚又は４枚羽根の軸流ファンから２枚羽根のものにしたときでも、羽根１枚あたりの仕事量を確保しつつ、ハブ３２内を逆流する空気の流量を減らすことができるから、軸流ファン１８のファン効率を向上させることができる。
【００４０】
また、例えば３枚羽根の羽根面積と２枚羽根の羽根面積との比を同等値以下に設定する相似則設計などが試みられていたが、本実施形態によれば、２枚羽根の実効羽根面積、及びハブの軸方向の高さが客観的に規定されることから、２枚羽根の軸流ファンの設計及び製造を行うことができる。
【００４１】
（実施形態４）  本発明を適用した軸流ファンの第４の実施形態について説明する。本実施形態は、羽根の強度を確保するようにした軸流ファンの一例である。
【００４２】
軸流ファンを回転させると、軸流ファンの羽根の付け根部分を中心に回転応力がかかる。したがって、羽根の剛性を確保するために、羽根の付け根部分及び前縁を肉厚の樹脂材で形成することが考えられている。その場合、前縁の羽根先端部分でも肉厚になるため、遠心力に起因する回転がアンバランスになったり、羽根の質量低減に限界がある。
【００４３】
そこで、本実施形態では、ファンブレード３０の厚みを外径縁６６に向かうにつれて徐々に、又は段階的に薄くなるようにしている。例えば、ファンブレード３０の内径縁６０の厚みは、後縁６４側に向かうにつれて徐々に薄く形成される。前縁６２の厚みは、外形縁６６側に向かうにつれて徐々に薄く形成される。後縁６４の厚みは、外径縁６６側に向かうにつれて徐々に薄く形成される。外径縁６６の厚みは、ほぼ均一に形成される。
【００４４】
具体的には、内径縁６０の厚みは、点線６０ａの方向に軸流ファン１８のファン径の例えば２．４％から例えば０．７５％になるように形成される。同様に、前縁６２の厚みは、点線６２ａの方向に例えば２．４％から例えば０．５％になるように形成される。後縁６４の厚みは、点線６４ａの方向に例えば０．７５％から例えば０．４％になるように形成される。外径縁６６の厚みは、点線６６ａの方向に例えば０．５％の均一な厚みに形成される。なお、ファン径とは、ハブ３２の外周から半径方向に最も距離が大きくなる外径縁６６までの距離である。また、ファンブレード３１も同様に形成される。
【００４５】
本実施形態によれば、内径縁６０、前縁６２の内径縁６０側の部分が厚く形成されることから、回転による応力が付け根部分にかかっても、ファンブレード３０の剛性を確保することができる。しかも、外径縁６６に向かうにつれて薄く形成しているから、ファンブレードの質量を減らすことができ、ファンブレード３０のバランスを保つことができる。したがって、軸流ファン１８を安定に回転させることができる。
【００４６】
（実施形態５）  本発明を適用した軸流ファンの第５の実施形態について図１０及び図１１を参照して説明する。本実施形態が第４の実施形態と異なる点は、ファンブレードの前縁側に肉盗み用の穴を設けることにより、ファンブレードの成形を容易にしたことにある。図１０は、本実施形態の軸流ファンの斜視図である。図１１は、図１０のファンブレードのＡ―Ａ線における断面図である。
【００４７】
第４の実施形態で示したように、ファンブレード３０の厚みを付け根部分（例えば、内径縁６０、前縁６２の回転方向後側）で厚く形成した場合、厚い部分と薄い部分との間に樹脂成形過程の冷却時間に差が生じるため、ひけが発生することがある。そこで、本実施形態では、図１０及び図１１に示すように、ファンブレード３０の負圧面７０に肉盗み用の穴７２ａ〜７２ｄを複数設けるようにしている。なお、ファンブレード３１でも同様である。
【００４８】
穴７２ａ〜７２ｄは、前縁６２から設定間隔ｔに配設されている。各穴７２ａ〜７２ｄは、半球形に刳り貫かれて形成されたものであり、面方向の幅がｔ、厚み方向の深さが２／ｔとなっている。なお、ｔは前縁６２の厚みを示している。また、穴７２ａ〜７２ｄは、半球形状の形態以外の形態にすることができる。
【００４９】
本実施形態によれば、複数の穴７２ａ〜７２ｄにより前縁６０の冷却を促進することができるから、例えば外径縁６６との冷却時間の差を小さくすることができる。したがって、樹脂成形の冷却過程におけるひけの発生量を抑えることができる。
【００５０】
（実施形態６）  本発明を適用した軸流ファンの第６の実施形態について図１２及び図１３を参照して説明する。本実施形態は、複数の軸流ファンを重ねて積み上げるためにハブに嵌合部を設けるようにした一例である。図１２は、ハブの展開図、図１３は、２つの軸流ファンを段積みした例を示している。
【００５１】
複数の軸流ファンは、収納したり運搬したりする際には段積みされる。その場合、収納スペースを減らしたり、容易に運ぶために、ハブの吹出し側及び吸込み側の開口縁をノコギリ形状に形成することが考えられている。しかし、開口縁の周方向に沿って凹凸が連続して形成されると、軸流ファンが室外機で回転するとき、凹凸から空気が比較的多量に漏れるため、ファン効率が低下することがある。
【００５２】
そこで、本実施形態では、ハブの吹出し側又は吸込み側の開口縁の一部に軸方向に凹んだ嵌合部を形成し、他の部分は平坦のままになるようにしている。例えば、図１２に示すように、ハブ３２の吹出し側の開口縁７６に２つの嵌合部８０ａ、８０ｂが形成されている。嵌合部８０ａ、８０ｂは、軸方向に凹んで形成している。同様に、吸込み側の開口縁７８に凹状の嵌合部８０ｃ、８０ｄが形成されている。なお、形成する嵌合部の数については適宜変更すればよい。また、嵌合部を凸状に形成しても実質的に同じ効果を得ることができる。
【００５３】
本実施形態によれば、ハブ３２の開口縁７６、７８の一部に嵌合部８０ａ〜８０ｃを設けるようにしているから、開口縁７６、７８の全周縁にわたって凹凸が形成される場合に比べ、漏れる空気量を少なくすることができる。したがって、ファン効率を向上させることができる。
【００５４】
また、図１３に示すように、複数の軸流ファン１８を収納するときや運搬するときなどは、ハブ３２の嵌合部８０ａに上段のハブの開口縁の凸部がはめ込まれることで、複数の軸流ファン１８が段積みされる。これにより、複数の軸流ファン１８の収納スペースを減らすことができたり、運搬の際に互いの軸流ファンがずれないため運び易くなる。
【００５５】
（実施形態７）  本発明を適用した軸流ファンの第７の実施形態について図１４を参照して説明する。本実施形態が第１の実施形態と異なる点は、ハブに溜まった雨水などの抜き出しを一層容易にするために、水抜き穴の設ける位置を異ならせたり、仕切り板の形状を異ならせたことにある。図１４は、ハブの３つの例を示したものである。
【００５６】
まず、図１４（ａ）は、吹出し側から見た第1の例のハブの正面図である。図５と異なる点は、水抜き穴８４がリブ４０の回転方向３５側の側面に近接して設けられていることである。すなわち、ハブ３２の回転時においては、回転方向３５の逆方向４６に働く反作用により、雨水などがリブ４０の回転方向３５側の側面に向かって移動するから、移動した雨水を確実に抜き出すことができる。
【００５７】
また、図１４（ｂ）は、吹出し側から見た第２の例のハブの正面図である。図５と異なる点は、仕切り板３６に複数の導水ガイド８６が対数螺旋状に刻み込まれていることにある。図１４（ｂ）に示すように、各導水ガイド８６は、モータシャフト穴３８の外周面から、水抜き穴４８の回転方向３５側と、リブ４０の回転方向３５に反対側の部分を通るように形成されている。これにより、ハブ３２内に溜まった雨水を導水ガイド８６で水抜き穴４８の近傍まで導くことができる。なお、導水ガイド８６の数は、リブ４０の数と同じであるのが望ましい。
【００５８】
さらに、図１４（ｃ）は、半径方向から見た第３の例のハブの断面図である。図５と異なる点は、仕切り板３８が中心から半径方向に延在する部分が、吸込み側に傾斜して形成されたことである。すなわち、仕切り板３８は、円錐コーン状に形成されている。これにより、ハブ３２内に溜まった雨水は、仕切り板３８上をハブ３２の内周面に向かって流れるようになるから、水抜き穴４８から抜き出すことが容易になる。
【００５９】
以上、第１乃至第７の実施形態に基づいて本発明を説明したが、本発明の軸流ファンの総括的な効果を説明するため、図１５に、２枚羽根、３枚羽根、４枚羽根の軸流ファンの風量と各軸流ファンを備えた上吹き型の室外機の設置面積との関係を示す。なお、設置面積として、指標の実効性を高くするため筐体設置面積に羽根の投影面積を掛け合わせたものを用いる。図１５に示すように、２枚羽根と３枚羽根の風量が同じとき、２枚羽根の場合の設置面積は、３枚羽根の場合に比べて１／２になっている。また、４枚羽根の場合、２枚羽根の場合に比べて風量が例えば３４％少なくなっているにもかかわらず、設置面積は３倍になっている。すなわち、２枚羽根軸流ファンを上吹き型室外機に設けるようにすれば、ファン効率を向上させることができる分だけ設置面積を少なくすることができることがわかる。
【００６０】
また、本発明の軸流ファンを上吹き型の室外機ではなく、図１６に示す横吹出しの店舗型の室外機９０にも適用してもよい。図１６に示すように、横吹き型の室外機９０とは、筐体９２の側面に空気吸込み口が形成されると共に、その反対側の側面に空気排出口が形成されたものである。空気吸込み口に室外機用の熱交換器が取り付けられると共に、空気排出口には吹き出しグリル９４が配設されている。筐体９２の内部には例えば２つの軸流ファン１８が設けられている。２つの軸流ファン１８は、鉛直方向上側と下側に配設されると共に、軸方向を平行にして支持されている。
【００６１】
また、本発明をビル空調設備に適用した例を説明したが、これに限られるものではなく様々な形態のものに適用することができる。
【図面の簡単な説明】
【００６２】
【図１】本発明を適用してなる空気調和装置の系統図である。
【図２】室外機の構成図である。
【図３】軸流ファンの斜視図である。
【図４】軸流ファンの縦断面図である。
【図５】空気排出側から見た軸流ファンの正面図である。
【図６】２枚羽根の軸流ファンと４枚羽根の軸流ファンの騒音レベルを比較する比較図である。
【図７】第２の実施形態におけるベルマウスの軸流ファンである。
【図８】第３の実施形態の効果を示す比較例である。
【図９】第３の実施形態の効果を示す比較例である。
【図１０】第５の実施形態の軸流ファンの斜視図である。
【図１１】図１０のファンブレードのＡ―Ａ線における断面図である。
【図１２】第６の実施形態のハブの展開図である。
【図１３】第６の実施形態の軸流ファンを段積みした一例である。
【図１４】第７の実施形態のハブの３つの例を示す正面図である。
【図１５】本発明の効果を説明する説明図である。
【図１６】横吹き出し型の室外機の斜視図である。
【符号の説明】
【００６３】
１  空気調和装置
１０ａ  室外機
１２ａ  室内機
１４  圧縮機
１６  室外用熱交換器
１８  軸流ファン
２４  室内用熱交換器
２９  ベルマウス
３０、３１  ファンブレード
３２  ハブ
３６  仕切り板
４８  水抜き穴
５０  ハブの軸方向の高さ
５２  ファンブレードの軸方向の高さ
【図１】
2005121310.tif 000003
【図２】
2005121310.tif 000004
【図３】
2005121310.tif 000005
【図４】
2005121310.tif 000006
【図５】
2005121310.tif 000007
【図６】
2005121310.tif 000008
【図７】
2005121310.tif 000009
【図８】
2005121310.tif 000010
【図９】
2005121310.tif 000011
【図１０】
2005121310.tif 000012
【図１１】
2005121310.tif 000013
【図１２】
2005121310.tif 000014
【図１３】
2005121310.tif 000015
【図１４】
2005121310.tif 000016
【図１５】
2005121310.tif 000017
【図１６】
2005121310.tif 000018